(57)【特許請求の範囲】
【請求項１】
入力された映像信号に基づく画像の一部を表示する、それぞれ発光素子からなる複数のセルで構成され行列状に配列された複数の表示ユニットで構成された表示装置を調整する調整装置であって、
上記表示ユニットは、当該表示ユニットが配置されている垂直方向及び水平方向の位置情報を含むスクリーン情報を記憶するスクリーン情報記憶手段を有し、
上記スクリーン情報記憶手段により供給される各表示ユニットの位置情報に基づき、上記表示装置を構成している行列状の各表示ユニットの表示を擬似表示ユニットとして擬似スクリーン窓内に模式的に表示する擬似スクリーン表示手段と、
上記擬似スクリーン表示手段によって上記擬似スクリーン窓内に表示された上記擬似表示ユニットの中から所定の擬似表示ユニットを選択する選択手段と、
上記選択手段により選択された上記擬似表示ユニットの要素を調整するための調整情報を生成する調整情報生成手段とを備え、
上記調整情報を上記各表示ユニットに出力することにより、上記選択手段により選択した表示ユニットを調整することを特徴とする調整装置。
【請求項２】
上記選択手段により上記擬似スクリーン表示手段における所定の擬似表示ユニットを選択したときは、上記擬似表示ユニットに対応した上記表示ユニットを識別発光させることを特徴とする請求項１記載の調整装置。
【請求項３】
上記調整情報を表示する調整情報表示手段を備えることを特徴とする請求項１記載の調整装置。
【請求項４】
入力された映像信号に基づく画像の一部を表示する、それぞれ発光素子からなる複数のセルで構成され行列状に配列された複数の表示ユニットで構成された表示装置を調整する調整方法であって、
上記表示ユニットのスクリーン情報記憶手段に、当該表示ユニットが配置されている垂直方向及び水平方向の位置情報を含むスクリーン情報を記憶し、
上記スクリーン情報記憶手段により供給される各表示ユニットの位置情報に基づき、上記表示装置を構成している行列状の各表示ユニットの表示を擬似表示ユニットとして擬似スクリーン窓内に模式的に表示し、
上記擬似スクリーン窓内に表示された上記擬似表示ユニットの中から所定の擬似表示ユニットを選択し、
選択された上記擬似表示ユニットの要素を調整するための調整情報を生成し、
生成された上記調整情報に基づき上記表示装置の上記表示ユニットを調整することを特徴とする調整方法。
【請求項５】
入力された映像信号に基づく画像の一部を表示する、それぞれ発光素子からなる複数のセルで構成され行列状に配列された複数の表示ユニットで構成された表示装置を調整する調整プログラムを格納する記録媒体において、
上記表示ユニットのスクリーン情報記憶手段に、当該表示ユニットが配置されている垂直方向及び水平方向の位置情報を含むスクリーン情報を記憶する記憶処理と、
上記スクリーン情報記憶手段により供給される各表示ユニットの位置情報に基づき、上記表示装置を構成している行列状の各表示ユニットの表示を擬似表示ユニットとして擬似スクリーン窓内に模式的に表示する表示処理と、
上記擬似スクリーン窓内に表示された上記擬似表示ユニットの中から所定の擬似表示ユニットを選択する選択処理と、
選択された上記擬似表示ユニットの要素を調整するための調整情報を生成する生成処理と、
生成された上記調整情報に基づき上記表示装置の上記表示ユニットを調整する調整処理とを有するプログラムが格納されていることを特徴とする記録媒体。
【発明の詳細な説明】
【０００１】
【発明の属する技術分野】
本発明は、表示装置を構成している表示ユニット及びセルを調整する調整装置、方法及び記録媒体に関する。
【０００２】
【従来の技術】
近年、映像再生装置により再生された映像信号を、屋外に設置した複数の表示ユニットから構成されている大型のスクリーン装置に表示させる表示システムが構築されている。
【０００３】
映像信号を表示させる従来の表示システム２は、例えば図２３に示すように、映像信号部５０と、映像信号選択部５１と、映像処理部５２と、複数の表示ユニットから構成されているスクリーン部５３と、制御部５４と、電源部５５と、調整部５６と、異常信号検出部５７とを備えている。
【０００４】
映像信号部５０は、例えば、ＶＣＲ（Video Cassette Recorder）、ＤＶＤ（Digital Versatile Disc）（商標）、ビデオカメラ、ＴＶ用チューナ、衛星放送用チューナ、ストレージ等の機器が接続されている。そして、映像信号部５０は、映像信号を映像信号選択部５１に供給する。
【０００５】
映像信号選択部５１は、映像信号部５０から供給されてくる複数の映像信号から所定の映像信号を選択する。そして、映像信号選択部５１は、選択した映像信号を映像処理部５２に供給する。
【０００６】
映像処理部５２は、映像信号選択部５１から供給された映像信号に所定の映像処理を行い、その映像信号をスクリーン部５３の各表示ユニットに分割して表示させるための処理後映像信号を生成する。そして、映像処理部５２は、処理後映像信号をスクリーン部５３に供給する。
【０００７】
スクリーン部５３は、図２４に示すような、複数の表示ユニットから構成されている。さらに、スクリーン部５３の表示ユニットは、図２５に示すような、発光ダイオード等の発光素子からなるセルが行列状に配列されている。また、セルは、例えば、発光素子ａと、発光素子ｂと、発光素子ｃとから構成されている。スクリーン部５３は、映像処理部５２から供給された処理後映像信号に基づき、各表示ユニットが対応する部分を表示することで、一つの表示画像を表示する。
【０００８】
制御部５４は、スクリーン部５３に表示されている表示映像の大きさや表示位置等を調整し所定の表示形態となるように映像処理部５２を制御する。
【０００９】
電源部５５は、スクリーン部５３に電源を供給する電源部である。
【００１０】
調整部５６は、スクリーン部５３を構成している複数の表示ユニット、又はその表示ユニットを構成している複数のセルをターゲットとして選択し、所定の調整を行う。
【００１１】
異常信号検出部５７は、スクリーン部５３を構成している表示ユニットにより生成される異常信号を検出する。また、異常信号検出部５７は、上記の異常信号に応じて異常の内容を表示する表示部を備えている。
【００１２】
このような従来の表示システム２では、スクリーン部５３を構成している表示ユニット又はセルの調整作業において、調整部５６を直接スクリーン部５３に接続することで、スクリーン部５３を構成している複数の表示ユニット及び表示ユニットを構成している複数のセルの配置されている位置に対応する番号等を示す、いわゆるスクリーン情報を得て、所定の表示ユニット及び／又はセルを調整している。
【００１３】
また、表示システム２に備えられている異常信号検出部５７は、スクリーン部５３を構成している表示ユニットの一つ又は複数に異常が発生した場合は、その異常を発生している表示ユニットにより生成された異常信号を検出し、備えられている表示部に上記の異常信号に応じて異常内容を文字で表示し、また、上記の異常信号に応じて異常信号を生成した表示ユニットの配置をその位置に対応した番号等の数値で表示している。
【００１４】
【発明が解決しようとする課題】
しかしながら、従来の調整装置を用いてスクリーン部を構成している表示ユニット及び／又はセルを調整する場合、調整装置には、調整操作等を表示する表示部が備えられているが、その表示部は、表示面積が限られているとともに、調査対象となる表示ユニット及び／又はセルの位置を番号等の数値で表示するため、調整操作や調整対象に関する情報を一目で確認することが困難であるといった問題がある。
【００１５】
また、従来の調整装置を用いてスクリーン部を構成している表示ユニット及び／又はセルを調整する場合、調整装置には、一つの表示ユニットに対して一つの調整画面が設けられており、表示ユニットの数だけ調整画面が存在するため、多大なスペースを要し、装置自体が大型化し、高価となる問題がある。
【００１６】
また、従来の調整装置を用いてスクリーン部を構成している表示ユニット又はセルから所定の表示ユニット又はセルを選択するとき、テンキーを用いる、いわゆる数値入力の操作で行うため、所定の表示ユニット又はセルの選択に多大な時間を要する問題がある。
【００１７】
また、従来の調整装置を用いてスクリーン部を構成している表示ユニット及び／又はセルを調整する場合、調整装置は、ある特定の表示ユニット及び／又はセルを選択して所定の調整を行い、その後、同じ表示ユニット及び／又はセルに対して別の調整を行うとき、再び表示ユニット及び／又はセルの選択から始める必要があり、連続した調整ができず、手順効率の低い問題がある。
【００１８】
また、従来の調整装置を用いてスクリーン部の色度を調整する場合、スクリーン部の大型化に伴い、スクリーン部を構成している表示ユニット及びセルの数が増加すると、調整対象を見失う問題がある。
【００１９】
そこで、本発明は、上述したような実情に鑑みて提案されたものであり、複数の表示ユニットから構成される表示装置の表示映像を容易に調整できる調整装置、方法及び記録媒体を提供することを目的とする。
【００２０】
【課題を解決するための手段】
上述の目的を達成するため、本発明は、入力された映像信号に基づく画像の一部を表示する、それぞれ発光素子からなる複数のセルで構成され行列状に配列された複数の表示ユニットで構成された表示装置を調整する調整装置であって、上記表示ユニットは、当該表示ユニットが配置されている垂直方向及び水平方向の位置情報を含むスクリーン情報を記憶するスクリーン情報記憶手段を有し、上記スクリーン情報記憶手段により供給される各表示ユニットの位置情報に基づき、上記表示装置を構成している行列状の各表示ユニットの表示を擬似表示ユニットとして擬似スクリーン窓内に模式的に表示する擬似スクリーン表示手段と、上記擬似スクリーン表示手段によって上記擬似スクリーン窓内に表示された上記擬似表示ユニットの中から所定の擬似表示ユニットを選択する選択手段と、上記選択手段により選択された上記擬似表示ユニットの要素を調整するための調整情報を生成する調整情報生成手段とを備え、上記調整情報を上記各表示ユニットに出力することにより、上記選択手段により選択した表示ユニットを調整する。
【００２１】
このような調整装置は、調整情報生成手段により生成した調整情報を表示装置に出力することで、選択した表示ユニットを調整する。
【００２２】
また、本発明に係る調整方法は、入力された映像信号に基づく画像の一部を表示する、それぞれ発光素子からなる複数のセルで構成され行列状に配列された複数の表示ユニットで構成された表示装置を調整する調整方法であって、上記表示ユニットのスクリーン情報記憶手段に、当該表示ユニットが配置されている垂直方向及び水平方向の位置情報を含むスクリーン情報を記憶し、上記スクリーン情報記憶手段から読み出された各表示ユニットの位置情報に基づき、上記表示装置を構成している行列状の各表示ユニットの表示を擬似表示ユニットとして擬似スクリーン窓内に模式的に表示し、上記擬似スクリーン窓内に表示された上記擬似表示ユニットの中から所定の擬似表示ユニットを選択し、選択された上記擬似表示ユニットの要素を調整するための調整情報を生成し、生成された上記調整情報に基づき上記表示装置の上記表示ユニットを調整する。
【００２３】
このような調整方法は、調整操作により生成した調整情報に基づき、選択した表示ユニットを調整する。
【００２４】
さらに、本発明に係る記録媒体は、入力された映像信号に基づく画像の一部を表示する、それぞれ発光素子からなる複数のセルで構成され行列状に配列された複数の表示ユニットで構成された表示装置を調整する調整プログラムを格納する記録媒体において、上記表示ユニットのスクリーン情報記憶手段に、当該表示ユニットが配置されている垂直方向及び水平方向の位置情報を含むスクリーン情報を記憶する記憶処理と、上記スクリーン情報記憶手段から読み出された各表示ユニットの位置情報に基づき、上記表示装置を構成している行列状の各表示ユニットの表示を擬似表示ユニットとして擬似スクリーン窓内に模式的に表示する表示処理と、上記擬似スクリーン窓内に表示された上記擬似表示ユニットの中から所定の擬似表示ユニットを選択する選択処理と、選択された上記擬似表示ユニットの要素を調整するための調整情報を生成する生成処理と、生成された上記調整情報に基づき上記表示装置の上記表示ユニットを調整する調整処理とを有するプログラムが格納されている。
【００２５】
このような記録媒体は、表示装置を構成している表示ユニットを擬似表示ユニットとして模式的に表示する表示処理と、表示処理により表示されている擬似表示ユニットの中から、所定の擬似表示ユニットを選択する選択処理と、調整操作に基づいて調整情報を生成する生成処理と、生成処理により生成された調整情報に基づき選択処理で選択した擬似表示ユニットに対応する表示ユニットを調整する調整処理とを有するプログラムが格納されている。
【００２６】
【発明の実施の形態】
以下、本発明の実施の形態について図面を参照しながら詳細に説明する。
【００２７】
本発明は、例えば図１に示すような表示システム１に適用される。
【００２８】
表示システム１は、映像信号部１０と、映像信号選択部１１と、映像処理部１２と、複数の表示ユニットから構成されるスクリーン部１３と、電源部１４と、映像取込み部１５と、制御監視部１６と、調整部１７と、異常信号検出部１８とを備える。なお、表示システム１は、映像信号部１０と、複数の表示ユニットから構成されるスクリーン部１３と、電源部１４とにより、入力された映像信号を一つの画面として表示する表示装置を形成している。
【００２９】
また、表示システム１は、制御監視部１６に接続されているネットワーク接続部１９を介してネットワーク２０に接続されている。さらにネットワーク２０は、複数のネットワーク及び複数の情報端末２１が接続されている。
【００３０】
映像信号部１０は、例えば、ＶＣＲ（Video Cassette Recorder）、ＤＶＤ（Digital Versatile Disc）（商標）、ビデオカメラ、ＴＶ用チューナ、衛星放送用チューナ、ストレージ等の機器が接続されている。そして、映像信号部１０は、映像信号を映像信号選択部１１に供給する。
【００３１】
映像信号選択部１１は、映像信号部１０から供給されてくる複数の映像信号から所定の映像信号を選択する。そして、映像信号選択部１１は、選択した映像信号を映像処理部１２に供給する。また、映像信号選択部１１は、信号線Ａを介して制御監視部１６に接続され、制御監視部１６から供給される信号に基づき、映像信号の選択や映像信号のスケジュール管理を行う。
【００３２】
映像処理部１２は、映像信号選択部１１から供給された映像信号に、所定の映像処理を行い、各表示ユニットが分割して表示するための処理後映像信号を生成する。映像処理部１２は、第１の映像信号出力端子ａ１１と第２の映像信号出力端子ａ１２とを備えている。そして、映像処理部１２に備えられている第１の映像信号出力端子ａ１１は、スクリーン部１３に接続されており、処理後映像信号を上記のスクリーン部１３に供給し、また、第２の映像信号出力端子ａ１２は、映像取込み部１５に接続されており、処理後映像信号を上記の映像取込み部１５に供給する。
【００３３】
また、映像処理部１２は、信号線Ｂを介してスクリーン部１３と接続されており、信号線Ｃを介して制御監視部１６と接続されており、また、信号線Ｄを介して調整部１７と接続されており、さらに、信号線Ｅを介して異常信号検出部１８と接続されており、映像信号処理に必要な制御信号やデータの授受が行われる。
【００３４】
さらに、映像処理部１２は、処理後映像信号を外部の表示装置に出力するコンポジット映像出力端子部を備えている。
【００３５】
スクリーン部１３は、映像処理部１２から供給された処理後映像信号を表示画像として表示する。
【００３６】
ここで、スクリーン部１３について説明する。
【００３７】
スクリーン部１３は、図２４に示す、複数の表示ユニットにより構成されており、さらに表示ユニットは、複数のセルにより構成されている大型の映像表示装置である。また、スクリーン部１３の表示ユニットは、図２５に示す、発光ダイオード等の発光素子からなるセルがマトリックス（行列）状に配列されている。また、セルは、例えば、発光素子ａと、発光素子ｂと、発光素子ｃとから構成されている。なお、発光素子ａは、青色発光体とし、発光素子ｂは、赤色発光体とし、発光素子ｃは、緑色発光体としてもよい。
【００３８】
つぎに個々の表示ユニットの動作について図２を用いて説明する。表示ユニットは、図２に示すとおり、映像処理部１２から供給される処理後映像信号を受信するラインレシーバ３０と、シリアル／パラレル変換部３１と、アドレス比較器３２と、フレームメモリ部３３と、ドライバ部３４と、メモリ部３５と、ＭＰＵ３６と、アドレススイッチ部３７と、内部情報提供部３８と、ラインドライバ３９とを備えている。ラインレシーバ３０により受信された処理後映像信号は、シリアル／パラレル変換部３１によりパラレル変換され、アドレス比較器３２に供給される。なお、映像処理部１２から供給される処理後映像信号は、図３に示すように、映像を表示するために必要なラインアドレスデータと、画像データと、付加データとから構成されている。
【００３９】
上述したようにスクリーン部１３は、複数の表示ユニットのマトリックスで構成されているので、それぞれの表示ユニットにより要求される映像データが異なる。そこで、アドレス比較器３２では、シリアル／パラレル変換部３１から供給された処理後映像信号が表示ユニットにとって必要なデータかどうかを判断するために、処理後映像信号のラインアドレスデータとＭＰＵ３６から供給されるアドレスデータとを比較する。そして、アドレス比較器３２は、ラインアドレスデータとアドレスデータとが一致した場合、処理後映像信号を映像データと付加データとに分離し、映像データをフレームメモリ部３３に供給し、付加データをＭＰＵ３６に供給する。フレームメモリ部３３は、アドレス比較器３２から供給された映像データに基づき画像フレームを生成し、ドライバ部３４に供給する。ドライバ部３４では、フレームメモリ部３３から供給された画像フレームをメモリ部３５から供給される補正データを適宜参照しながら表示を行う。
【００４０】
ＭＰＵ３６には、アドレス比較器３２と、メモリ部３５と、アドレススイッチ部３７と、ラインドライバ３９とが接続されており、アドレススイッチ部３７から供給されるアドレスデータをアドレス比較器３２に供給し、アドレス比較器３２から供給される付加データに内部情報提供部３８から供給されるデータを重畳してラインドライバ３９に供給する。アドレススイッチ部３７は、予め設定されている表示ユニットのアドレスデータをＭＰＵ３６に供給する。内部情報提供部３８は、例えば、ファンが停止した際に出力されるファンストップ情報や、表示ユニット内部の温度異常をセンサが感知した際に出力される温度異常情報や、電源電圧に異常が生じた際に出力される電源異常情報等の異常情報をＭＰＵ３６に供給する。電源異常情報は、例えば、表示ユニットのセルが、発光素子ａ、発光素子ｂ及び発光素子ｃにより構成されており、発光素子ａが＋５Ｖで発光し、発光素子ｂが＋１２Ｖで発光し、発光素子ｃが＋２４Ｖで発光するように設定されている場合に、何れかの発光素子の電圧値がダウンしている際に生成される。
【００４１】
ラインドライバ３９は、ＭＰＵ３６から供給される付加データを出力する。ラインドライバ３９から出力された付加データは、スクリーン情報として映像処理部１２に供給される。
【００４２】
スクリーン部１３は、図４に示すように、複数の表示ユニットに対して映像処理部１２から処理後映像信号が供給され、それぞれの表示ユニットで生成されたスクリーン情報を映像処理部１２に供給する。
【００４３】
つぎに、上述したスクリーン情報に含まれる、表示ユニット情報及びセル情報の設定について図５及び図６を用いて説明する。
【００４４】
スクリーン部１３は、図５に示すように、例えば、水平方向の表示ユニット数を１０個、また、垂直方向の表示ユニット数を１５個とし、全部で１５０個の表示ユニットで構成されている。なお、水平方向をＸ方向とし、垂直方向をＹ方向とする。
【００４５】
スクリーン部１３は、例えば、一番左上の表示ユニット（Ｘ＝１、Ｙ＝１）を表示ユニット１とし、一番右下の表示ユニット（Ｘ＝１０、Ｙ＝１５）を表示ユニット１５０として定め、表示ユニット情報の設定を行う。
【００４６】
さらに、表示ユニット１は、図６に示すように、例えば、水平方向のセル数を８個、また、垂直方向のセル数を３個とし、全部で２４個のセルで構成されている。なお、水平方向をｘ方向とし、垂直方向をｙ方向とする。
【００４７】
表示ユニットは、例えば、一番左上のセル（ｘ＝１、ｙ＝１）をセル１とし、一番右下のセル（ｘ＝８、ｙ＝３）をセル２４として定め、セル情報の設定を行う。
【００４８】
また、表示ユニット１−セル１とは、スクリーン部１３において、表示ユニット１（Ｘ＝１、Ｙ＝１）の中の、セル１（ｘ＝１、ｙ＝１）の位置を示している。
【００４９】
上述と同様に、それぞれの表示ユニット及びセルを情報化し、上述した付加データとともにスクリーン情報を生成する。
【００５０】
スクリーン部１３は、映像処理部１２を介して調整部１７にスクリーン情報を直接供給しても良いし、スクリーン情報を映像処理部１２に供給しておき、調整部１７から要求があったときに調整部１７にスクリーン情報を供給しても良い。また、スクリーン部１３は、映像処理部１２を介して異常信号検出部１８にスクリーン情報を直接供給しても良いし、スクリーン情報を映像処理部１２に供給しておき、異常信号検出部１８から要求があったときに異常信号検出部１８にスクリーン情報を供給しても良い。なお、映像処理部１２に予め接続されるスクリーンの型番を設定し、その型番に応じて、スクリーンを構成している表示ユニット情報及びセル情報を得ても良い。
【００５１】
電源部１４は、スクリーン部１３に電源を供給する電源部である。
【００５２】
映像取込み部１５は、例えば、ビデオカメラやビデオデッキからのビデオ映像を、ディジタル化してコンピュータに送り込む機能を持つ拡張ボードであるビデオ・キャプチャー・ボードである。
【００５３】
映像取込み部１５は、映像処理部１２に備えられている映像信号出力端子ａ１２から処理後映像信号が供給される。映像取込み部１４は、処理後映像信号を制御監視部１６に適合する映像信号に変換した変換後映像信号を生成する。そして、映像取込み部１５は、変換後映像信号を制御監視部１６に供給する。
【００５４】
制御監視部１６は、信号線Ａを介して映像信号選択部１１と接続されており、映像信号選択部１１による映像信号の選択を行う。また、制御監視部１６は、信号線Ｃを介して映像処理部１２と接続されており、表示されている表示映像の大きさや表示位置等を調整し所定の表示形態となるように映像処理部１２による映像処理を制御する。また、制御監視部１６は、信号線Ａを介して映像信号選択部１１から映像信号のスケジュールを管理する。さらに、制御監視部１６は、信号線Ｃを介して映像処理部１２から上述のスクリーン情報が供給される。
【００５５】
また、制御監視部１６には、映像取込み部１５により変換された変換後映像信号が供給される。
【００５６】
調整部１７は、例えば、パーソナルコンピュータ装置（以下、ＰＣと呼ぶ。）であって、処理に必要なデータやプログラムを記憶するハードディスクやメモリ等の記憶手段と、通信回線を介して受け取ったデータや記憶手段から受け取ったデータを演算処理するＣＰＵ（Central Processing Unit）と、演算処理の結果をＣＲＴディスプレイ等に表示する表示部とから構成されている。また、ＰＣは、入力手段としてキーボードや、選択手段としてマウスポインタ等を備え、ＧＵＩ（Graphical User Interface）を取り入れたＯＳ（Operating System）環境下で動作する。また、調整部１７には、映像処理部１２から信号線Ｄを介してスクリーン情報が供給される。
【００５７】
ここで、調整部１７の動作について説明する。図７に示すメンテナンス窓１００は、ハードディスク等の記憶手段からロードされ、ＣＰＵにより実行されるＧＵＩ化されたアプリケーションプログラムにより調整部１７の表示部に表示され、表示システム１のスクリーン部１３のスクリーン情報等を視覚的に示す。また、メンテナンス窓１００は、ターゲットとして、表示ユニット又はセルを選択し、その選択した表示ユニット又はセルの調整を行う。
【００５８】
メンテナンス窓１００は、擬似スクリーン窓１０１と、ターゲット選択窓１０２と、アクション窓１０３とを備えている。
【００５９】
擬似スクリーン窓１０１は、スクリーン情報に応じてスクリーン部１３を模式的に表示する表示部である。なお、擬似スクリーン窓１０１は、状況に応じて操作し易いように擬似スクリーン窓１０１自体の表示サイズを拡大又は縮小してもよい。
【００６０】
ターゲット選択窓１０２は、擬似スクリーン窓１０１で選択した表示ユニット又はセル（以下、ターゲットと呼ぶ）のタイプと、そのときのスクリーンモードと、スクリーン番号及び／又は表示ユニット情報及び／又はセル情報を表示する。
【００６１】
アクション窓１０３は、擬似スクリーン窓１０１で選択したターゲットの調整を行う。
【００６２】
異常信号検出部１８は、調整部１７と同様に、例えば、パーソナルコンピュータ装置（以下、ＰＣと呼ぶ。）であって、処理に必要なデータやプログラムを記憶するハードディスクやメモリ等の記憶手段と、通信回線を介して受け取ったデータや記憶手段から受け取ったデータを演算処理するＣＰＵ（Central Processing Unit）と、演算処理の結果をＣＲＴディスプレイ等に表示する表示部とから構成されている。また、ＰＣは、入力手段としてキーボードや、選択手段としてマウスポインタ等を備え、ＧＵＩ（Graphical User Interface）を取り入れたＯＳ（Operating System）環境下で動作する。また、異常信号検出部１８には、映像処理部１２から信号線Ｅを介してスクリーン情報が供給される。
【００６３】
ネットワーク接続部１９は、例えば、インターネットに接続するためのモデムである。
【００６４】
ネットワーク２０は、例えば、インターネットである。ネットワーク２０は、ネットワーク接続部１９を介して制御監視部１６、調整部１７及び異常信号検出部１８が接続されており、また、モデム等の接続機器を介して、複数の情報端末２１と接続されている。情報端末２１は、上述した映像信号の選択情報、映像処理の制御情報、表示スケジュール管理情報、スクリーン部１３のスクリーン情報、変換後映像信号データ等をネットワーク２０を介して制御及び監視を行うことができる。
【００６５】
なお、表示システム１は、スクリーン部１３に応じた音声信号を出力する、音声信号を入力する音声信号入力部と、入力した音声信号に信号処理等を行う音声信号処理部と、処理後の音声信号を出力する音声信号処理部とを備えた音声信号部を備えている。
【００６６】
表示システム１に備えられているスクリーン部は、それぞれの表示ユニット又はそれぞれのセル毎に補正データを持っている。そして、スクリーン部は、上記の補正データに基づいて所定の均一性が得られるように動作する。しかし、実際には、スクリーン部は、調整不足のために均一性の悪い表示ユニット及び／又はセルが存在する。そこで、調整部１７は、スクリーン部が所定の均一性が得られるように調整を図る。
【００６７】
ここで、図８から図１２に示すフローチャートを用い、メンテナンス又は不良等で表示ユニットを交換した場合に調整部１７で行う、表示ユニット及びセルの調整操作について説明する。
【００６８】
ステップＳＴ１において、調整部１７は、図８に示す映像調整部１７を介してスクリーン情報が供給されたかどうかを判断する。そして、調整部１７は、スクリーン情報が供給されたと判断した場合は、ステップＳＴ２に進む。
【００６９】
ステップＳＴ２において、調整部１７は、スクリーン情報に応じてメンテナンス窓１００を起動する。
【００７０】
ステップＳＴ３において、調整部１７は、メンテナンス窓１００に備えられている擬似スクリーン窓１０１を用いて所定の表示ユニットをターゲットとして仮選択を行う。
【００７１】
ここで、擬似スクリーン窓１０１を用いたターゲットの選択操作について図７を用いて説明する。
【００７２】
調整部１７は、図７に示す、メンテナンス窓１００に表示されている擬似スクリーン窓１０１を例えば、マウスにより所定の表示ユニットをクリックし、ターゲットの選択を行う。なお、ターゲットの選択は上記以外の方法でもよい。
【００７３】
ステップＳＴ４において、調整部１７は、上述のステップＳＴ３のターゲットの仮選択の操作に応じて、図１３に示す、ターゲット選択信号１を生成する。
【００７４】
なお、図１３に示すＳＩＤ１は、送信元表示ユニットＩＤ、すなわち送信元となる機器のＩＤ番号を示しており、送信側がＰＣであった場合には、ＰＣに割り当てられたＩＤ番号を入力する。ＤＩＤ１は、受信元表示ユニットＩＤ、すなわち受信元となる機器のＩＤ番号を示しており、受信側がプロセッサであった場合には、プロセッサに割り当てられたＩＤ番号を入力する。Ｒｅｓｅｒｖｅｄは、０ｘ２０（固定）というダミーを示している。ＳＩＤ２は、送信元プロシージャＩＤ、すなわち送信元となるプロシージャのＩＤ番号を示しており、送信元には、目的の処理に応じていくつかのプロシージャ（プログラム関数）が用意されており、そのプロシージャにはそれぞれ番号が振られている。ＳＩＤ２には、送信元でどのプロシージャを用いて処理したのかを示すＩＤ番号を入力する。ＤＩＤ２は、受信元プロシージャＩＤ、すなわち受信元となるプロシージャＩＤを示しており、受信元には、目的の処理に応じていくつかのプロシージャ（プログラム関数）が用意されており、そのプロシージャにはそれぞれ番号が振られている。ＤＩＤ２には、受信元でどのプロシージャを用いて処理を行うのかを示すＩＤ番号を入力する。ＣＴＲＬ（コントロール）は、ＡＣＫ、ＮＡＣＫ、ＧＥＴ及びＰＵＴの情報を入力する。ＳＩＺＥは、メッセージサイズを示しており、コマンドが何バイトから構成されているのかを入力する。なお、ＳＹＮＣからＳＩＺＥまでは、メッセージヘッダー（Message Header）と呼ばれている。
【００７５】
ＲＣは、リソースのＩＤ番号を示している。リソースとは、プロシージャより内部のプログラムのことである。Ｘ、Ｙ及びＺは、それぞれ表示ユニットのアドレス情報を示している。スクリーンは、表示ユニットを縦横に並べた配列で構成されているので、その配列の番号をＸ及びＹに入力する。また、スクリーンは、一つの表示システムに対して１つとは限らず、例えば、体育館等に設置されている天釣り４面などの場合、４つのスクリーンで表示システムが構成されており、Ｚには、スクリーンのアドレスを入力する。Ｃｍｄ（コマンド）は、命令の種類を示しており、ターゲットに対して調整を行うのか、テストパターンを表示するのか等の命令の種類を入力する。Ｍｏｄｅは、命令の実行を示している。例えば、ターゲットの輝度を調整する場合、ターゲットを調整する調整実行命令や、ターゲットにデータを保存する保存実行命令等を入力する。ＡＤＪは、発光色情報を示している。例えば、ターゲットの輝度調整を行う場合、どのような背景色で何色を調整するかを指定したり、背景色を白色に設定した状態で、赤を調整したりする。なお、Ｃｍｄ及びＭｏｄｅによっては、設定が不要な場合があるので、そのときにはＡＤＪにゼロを入力する。ＬＵＭは、輝度情報を示している。ターゲットの輝度調整を行う場合、スクリーン全体の輝度をここで指定する。例えば、輝度の低いときにユニフォミティ（スクリーン全体の統一性）にムラがある場合、スクリーンの輝度をここで落とし、ムラのあるターゲットの調整を行う。なお、Ｃｍｄ及びＭｏｄｅによっては、設定が不要な場合があるので、そのときにはＬＵＭにゼロを入力する。Ｅｌｅｍｅｎｔは、ターゲットとして表示ユニット又はセルを要素として指定し、何らかの調整等を行う対象が表示ユニットなのかセルなのかを指定する。Ｐｘは、Ｘ方向のセルのアドレス情報を、Ｐｙは、Ｙ方向のセルのアドレス情報をそれぞれ入力する。ＦＣＳは、フレームチェックシーケンスを示している。なお、ＲＣからＳＹＮＣまでは、メッセージボディー（Message Body）と呼ばれている。
【００７６】
ステップＳＴ５において、調整部１７は、上述のステップＳＴ４で生成したターゲット選択信号１を信号線Ｄを介して映像処理部１２に送信する。映像処理部１２は、調整部１７から送信されたターゲット選択信号１に応じた制御信号をスクリーン部１３に送信する。このときの制御信号を図１４に示す。
【００７７】
なお、制御信号は、ターゲット選択信号１のメッセージボディーの部分を変換して生成される。また、制御信号のデータ構造は、受信側でコマンドの整合を確認するために、非反転データと反転データとの組み合わせにより形成されている。
【００７８】
また、図１４に示すＦＣｏｄｅは、コマンドを示し、ターゲット選択信号１のＣｍｄに相当する。ＭＯＤＥは、スクリーン部１３の該当個所を発光させるモードを示し、ターゲット選択信号１のＭｏｄｅに相当する。ＡＤＲは、表示ユニットアドレス情報を示し、ターゲット選択信号１のＸ及びＹに相当する。Ｃｏｌｏｒは、発光色を示し、ターゲット選択信号１のＡＤＪに相当する。ＵＣＰは、ターゲットとして表示ユニット又はセルを要素として指定する要素指定を示し、ターゲット選択信号１のＥｌｅｍｅｎｔに相当する。ＬＵＭは、輝度を示し、ターゲット選択信号１のＬＵＭに相当する。ＵＤは、Ｅｌｅｍｅｎｔで現在選択されている表示ユニット又はセルが持っている補正データの調整値を示し、ターゲット選択信号１のＤＡＴＡに相当する。ＰＴＸは、スクリーン部のＸ方向のポインタを示し、ターゲット選択信号１のＰｘに相当する。ＰＴＹは、スクリーン部のＹ方向のポインタを示し、ターゲット選択信号１のＰｙに相当する。ＤＥＴは、センサを用いて補正データを調整する際のモードを示している。ＳＣＲは、スクリーンのアドレスを示し、ターゲット選択信号１にＺに相当する。
【００７９】
スクリーン部１３は、上述した制御信号に応じて、擬似スクリーン窓１０１の選択に対応した表示ユニットを発光点滅させる。
【００８０】
ステップＳＴ６において、調整部１７は、映像処理部１２からＡＣＫ１信号を受信する。ここで、ＡＣＫ１信号は、調整部１７により送信されたターゲット選択信号１を映像処理部１２で受信し、上記の受信に応じて映像処理部１２により生成された信号である。
【００８１】
ステップＳＴ７において、調整部１７は、仮選択しているターゲットに対して決定の操作を行うかどうかを判断する。調整部１７は、ターゲットの決定の操作を行わない場合は、ステップＳＴ３に戻り、別の表示ユニットの選択を行い、また、ターゲットの決定の操作を行う場合は、ステップＳＴ８に進む。
【００８２】
ステップＳＴ８において、調整部１７は、ターゲットの決定の操作に応じてターゲット決定信号１を生成する。なお、調整部１７は、メンテナンス窓１００に備えられているターゲット選択窓１０２の「ＤＥＣＩＳＩＯＮ」釦を押圧することによりターゲットの決定の操作を行う。
【００８３】
ステップＳＴ９において、調整部１７は、ステップＳＴ８で生成したターゲット決定信号１を映像処理部１２に送信する。
【００８４】
ステップＳＴ１０において、調整部１７は、図９に示すように映像処理部１２からＡＣＫ２信号を受信する。なお、ＡＣＫ２信号は、調整部１７により送信されたターゲット決定信号１を映像処理部１２で受信し、上記の受信に応じて映像処理部１２により生成された信号である。また、スクリーン部１３は、上記のステップＳＴ８からステップＳＴ１０の一連のターゲットを決定する操作に応じて、所定のターゲット（表示ユニット）を全白発光させる。
【００８５】
つぎに、調整部１７は、スクリーン部１３の背景色及び輝度の選択を行う。
【００８６】
ステップＳＴ１１において、調整部１７は、スクリーン部１３の背景色としてＲｅｄ、Ｇｒｅｅｎ、Ｂｌｕｅ、Ｗｈｉｔｅのいずれかを選択する。なお、Ｗｈｉｔｅは、Ｒｅｄと、Ｇｒｅｅｎ及びＢｌｕｅの３色の同時発光により生成される。調整部１７は、メンテナンス窓１００に備えられているアクション窓１０３を用いてスクリーン部１３の背景色の選択を行う。
【００８７】
ステップＳＴ１２において、調整部１７は、ステップＳＴ１１の選択に応じて背景色制御信号１を生成する。
【００８８】
ステップＳＴ１３において、調整部１７は、ステップＳＴ１２で生成した背景色制御信号１を信号線Ｄを介して映像処理部１２に送信する。映像処理部１２は、調整部１７から送信された背景色制御信号１に応じた制御信号をスクリーン部１３に送信する。そして、スクリーン部１３は、上記の制御信号に応じた背景色を発光する。
【００８９】
ステップＳＴ１４において、調整部１７は、映像処理部１２から、ＡＣＫ３信号を受信する。ここで、ＡＣＫ３信号は、調整部１７により送信された背景色制御信号１を映像処理部１２で受信し、上記の受信に応じて映像処理部１２により生成された信号である。
【００９０】
ステップＳＴ１５において、調整部１７は、輝度の調整を行うかどうかの判断を行う。そして、調整部１７は、輝度の調整を行わないと判断した場合は、ステップＳＴ２０に進み、輝度の調整を行うと判断した場合は、ステップＳＴ１６に進む。
【００９１】
ステップＳＴ１６において、調整部１７は、メンテナンス窓１００に備えられているアクション窓１０３を用いてスクリーン部１３の輝度の選択を行う。
【００９２】
ステップＳＴ１７において、調整部１７は、ステップＳＴ１６の選択に応じて輝度制御信号１を生成する。
【００９３】
ステップＳＴ１８において、調整部１７は、ステップＳＴ１７で生成した輝度制御信号１を信号線Ｄを介して映像処理部１２に送信する。映像処理部１２は、調整部１７から送信された輝度制御信号１に応じた制御信号をスクリーン部１３に送信する。そして、スクリーン部１３は、上記の制御信号に応じた輝度で発光する。
【００９４】
ステップＳＴ１９において、調整部１７は、映像処理部１２から、ＡＣＫ４信号を受信する。ここで、ＡＣＫ４信号は、調整部１７により送信された輝度制御信号１を映像処理部１２で受信し、上記の受信に応じて映像処理部１２により生成された信号である。調整部１７は、上記のステップＳＴ１６からステップＳＴ１９の一連のスクリーンの輝度調整の後、ステップＳＴ１５に戻り、再度、輝度調整を行うかどうかを判断する。
【００９５】
つぎに、調整部１７は、選択したターゲット（表示ユニット）の調整を行う。
【００９６】
ステップＳＴ２０において、調整部１７は、選択したターゲットに所定の調整を行う。調整部１７は、メンテナンス窓１００に備えられているアクション窓１０３を用いてターゲットの調整を行う。
【００９７】
ステップＳＴ２１において、調整部１７は、ステップＳＴ２０の調整操作に応じてターゲット調整信号１を生成する。
【００９８】
ステップＳＴ２２において、調整部１７は、ステップＳＴ２１で生成したターゲット調整信号１を信号線Ｄを介して映像処理部１２に送信する。映像処理部１２は、調整部１７から送信されたターゲット調整信号１に応じた制御信号をスクリーン部１３に送信する。そして、スクリーン部１３は、上記の制御信号に応じてターゲットとして選択されている表示ユニットに所定の調整を行う。
【００９９】
ステップＳＴ２３において、調整部１７は、映像処理部１２から、ＡＣＫ５信号を受信する。ここで、ＡＣＫ５信号は、調整部１７により送信されたターゲット調整信号１を映像処理部１２で受信し、上記の受信に応じて映像処理部１２により生成された信号である。
【０１００】
ステップＳＴ２４において、調整部１７は、上記のＡＣＫ５信号の受信に応じてメンテナンス窓１００に備えられている擬似スクリーン窓１０１にターゲットの調整を表示し、図１０に示すように、現在のターゲットに対して、調整を行うかどうかを判断する。そして、調整部１７は、現在のターゲットに対して調整を行う場合は、図９に示すステップＳＴ２０に戻り、ステップＳＴ２０からステップＳＴ２４を繰り返す。また、調整部１７は、現在のターゲットに対して調整を行わない場合は、ステップＳＴ２５に進む。
【０１０１】
ステップＳＴ２５において、調整部１７は、他のスクリーン背景色（Ｒｅｄと、Ｇｒｅｅと、Ｂｌｕｅ及びＷｈｉｔｅ）でターゲットの調整及び確認を行うかどうかを判断する。そして、調整部１７は、他のスクリーン背景色でターゲットの調整及び確認を行う場合は、図９に示すステップＳＴ１１に戻り、ステップＳＴ１１からステップＳＴ２４を繰り返す。なお、スクリーン背景色の選択の順番は、順不同とする。また、調整部１７は、他のスクリーン背景色でターゲットの調整及び確認を行わない場合は、ステップＳＴ２６に進む。
【０１０２】
ステップＳＴ２６において、調整部１７は、現在選択しているターゲットを構成しているセルの調整を行うかどうかを判断する。そして、調整部１７は、現在選択しているターゲットを構成しているセルの調整を行う場合は、ステップＳＴ２８に進む。また、調整部１７は、現在選択しているターゲットを構成しているセルの調整を行わない場合は、ステップＳＴ２７に進む。
【０１０３】
ステップＳＴ２７において、調整部１７は、現在選択している表示ユニットとは別の表示ユニットをターゲットとして選択するかどうかを判断する。そして、調整部１７は、現在選択している表示ユニットとは別の表示ユニットをターゲットとして選択する場合は、図８に示すステップＳＴ３に戻り、ステップＳＴ３からステップＳＴ２５を繰り返す。
【０１０４】
ここで、擬似表示ユニット窓１０４を用いたターゲットの選択操作について図１５を用いて説明する。
【０１０５】
ステップＳＴ２８において、調整部１７は、セルを選択操作できる擬似表示ユニット窓１０４を起動する。例えば、図７に示すメンテナンス窓１００に備えられている擬似スクリーン窓１０１において、現在選択されているターゲット上をマウスでダブルクリックし、そのターゲットの構成要素であるセルの配列を表示させる。つまり、マウスの操作により擬似スクリーン窓１０１から、図１５に示す、擬似表示ユニット窓１０４に切り替える。上述の操作により擬似表示ユニット窓１０４が起動する。なお、上記以外の方法で擬似表示ユニット窓１０４を起動させてもよい。
【０１０６】
ステップＳＴ２９において、調整部１７は、メンテナンス窓１００に備えられている擬似スクリーン窓１０１から上述のマウスの操作により切り替えた擬似表示ユニット窓１０４を用いて所定のセルをターゲットとして、仮選択を行う。
【０１０７】
ステップＳＴ３０において、調整部１７は、上述のステップＳＴ２９のターゲットの仮選択に応じて、ターゲット選択信号２を生成する。
【０１０８】
ステップＳＴ３１において、調整部１７は、ステップＳＴ３０で生成したターゲット選択信号２を信号線Ｄを介して映像処理部１２に送信する。映像処理部１２は、調整部１７から送信されたターゲット選択信号２に応じた制御信号をスクリーン部１３に送信する。スクリーン部１３は、上記のターゲット選択信号２に応じて、擬似スクリーン窓１０１の選択に対応したセルを識別できるように発光点滅させる。
【０１０９】
ステップＳＴ３２において、調整部１７は、図１１に示す映像処理部１２からＡＣＫ６信号を受信する。ここで、ＡＣＫ６信号は、調整部１７により送信されたターゲット選択信号２を映像処理部１２で受信し、上記の受信に応じて映像処理部１２により生成された信号である。
【０１１０】
ステップＳＴ３３において、調整部１７は、仮選択しているターゲットに対して決定の操作を行うかどうかを判断する。調整部１７は、ターゲットの決定の操作を行わない場合は、図１０に示すステップＳＴ２９に戻り、別のセルの選択を行い、また、ターゲットの決定を行う場合は、ステップＳＴ３４に進む。
【０１１１】
ステップＳＴ３４において、調整部１７は、ターゲットの決定の操作に応じてターゲット決定信号２を生成する。なお、調整部１７は、メンテナンス窓１００に備えられているターゲット選択窓１０２の「ＤＥＣＩＳＩＯＮ」釦を押圧することによりターゲットの決定の操作を行う。
【０１１２】
ステップＳＴ３５において、調整部１７は、ステップＳＴ３４で生成したターゲット決定信号２を映像処理部１２に送信する。
【０１１３】
ステップＳＴ３６において、調整部１７は、映像処理部１２からＡＣＫ７信号を受信する。なお、ＡＣＫ７信号は、調整部１７により送信されたターゲット決定信号２を映像処理部１２で受信し、上記の受信に応じて映像処理部１２により生成された信号である。また、スクリーン部１３は、上記のステップＳＴ３４からステップＳＴ３６の一連のターゲットを決定する操作に応じて、所定のターゲット（セル）を全白発光させる。
【０１１４】
つぎに、調整部１７は、スクリーン部１３の現在選択されている表示ユニットの背景色及び輝度の選択を行う。
【０１１５】
ステップＳＴ３７において、調整部１７は、当該表示ユニットの背景色としてＲｅｄ、Ｇｒｅｅｎ、Ｂｌｕｅ、Ｗｈｉｔｅのいずれかを選択する。なお、Ｗｈｉｔｅは、Ｒｅｄと、Ｇｒｅｅｎ及びＢｌｕｅの３色の同時発光により生成される。調整部１７は、メンテナンス窓１００に備えられているアクション窓１０３を用いて当該表示ユニットの背景色の選択を行う。
【０１１６】
ステップＳＴ３８において、調整部１７は、ステップＳＴ３７の選択に応じて背景色制御信号２を生成する。
【０１１７】
ステップＳＴ３９において、調整部１７は、ステップＳＴ３８で生成した背景色制御信号２を信号線Ｄを介して映像処理部１２に送信する。映像処理部１２は、調整部１７から送信された背景色制御信号２に応じた制御信号をスクリーン部１３に送信する。そして、スクリーン部１３は、上記の制御信号に応じた背景色を発光する。
【０１１８】
ステップＳＴ４０において、調整部１７は、映像処理部１２から、ＡＣＫ８信号を受信する。ここで、ＡＣＫ８信号は、調整部１７により送信された背景色制御信号２を映像処理部１２で受信し、上記の受信に応じて映像処理部１２により生成された信号である。
【０１１９】
ステップＳＴ４１において、調整部１７は、図１２に示すように輝度の調整を行うかどうかの判断を行う。そして、調整部１７は、輝度の調整を行わないと判断した場合は、ステップＳＴ４６に進み、輝度の調整を行うと判断した場合は、ステップＳＴ４２に進む。
【０１２０】
ステップＳＴ４２において、調整部１７は、メンテナンス窓１００に備えられているアクション窓１０３を用いてスクリーン部１３の輝度の選択を行う。
【０１２１】
ステップＳＴ４３において、調整部１７は、ステップＳＴ４２の選択に応じて輝度制御信号２を生成する。
【０１２２】
ステップＳＴ４４において、調整部１７は、ステップＳＴ４３で生成した輝度制御信号２を信号線Ｄを介して映像処理部１２に送信する。映像処理部１２は、調整部１７から送信された輝度制御信号２に応じた制御信号をスクリーン部１３に送信する。そして、スクリーン部１３は、上記の制御信号に応じた輝度で発光する。
【０１２３】
ステップＳＴ４５において、調整部１７は、映像処理部１２から、ＡＣＫ９信号を受信する。ここで、ＡＣＫ９信号は、調整部１７により送信された輝度制御信号２を映像処理部１２で受信し、上記の受信に応じて映像処理部１２により生成された信号である。調整部１７は、上記のステップＳＴ４２からステップＳＴ４５の一連のスクリーンの輝度調整の後、ステップＳＴ４１に戻り、再度、輝度調整を行うかどうかを判断する。
【０１２４】
つぎに、調整部１７は、選択したターゲット（セル）の調整を行う。
【０１２５】
ステップＳＴ４６において、調整部１７は、選択したターゲットに所定の調整を行う。調整部１７は、メンテナンス窓１００に備えられているアクション窓１０３を用いてターゲットの調整を行う。
【０１２６】
ステップＳＴ４７において、調整部１７は、ステップＳＴ４６の調整操作に応じてターゲット調整信号２を生成する。
【０１２７】
ステップＳＴ４８において、調整部１７は、ステップＳＴ４７で生成したターゲット調整信号２を信号線Ｄを介して映像処理部１２に送信する。映像処理部１２は、調整部１７から送信されたターゲット調整信号２に応じた制御信号をスクリーン部１３に送信する。そして、スクリーン部１３は、上記の制御信号に応じてターゲットとして選択されているセルに所定の調整を行う。
【０１２８】
ステップＳＴ４９において、調整部１７は、映像処理部１２から、ＡＣＫ１０信号を受信する。ここで、ＡＣＫ１０信号は、調整部１７により送信されたターゲット調整信号２を映像処理部１２で受信し、上記の受信に応じて映像処理部１２により生成された信号である。
【０１２９】
ステップＳＴ５０において、調整部１７は、上記のＡＣＫ１０信号の受信に応じてメンテナンス窓１００に備えられている擬似表示ユニット窓１０４にターゲットの調整を表示する。
【０１３０】
ステップＳＴ５１において、調整部１７は、更に現在のターゲットに対して、調整を行うかどうかを判断する。そして、調整部１７は、現在のターゲットに対して調整を行う場合は、ステップＳＴ４６に戻り、ステップＳＴ４６からステップＳＴ５０を繰り返す。また、調整部１７は、現在のターゲットに対して調整を行わない場合は、ステップＳＴ５２に進む。
【０１３１】
ステップＳＴ５２において、調整部１７は、他の表示ユニット背景色（Ｒｅｄと、Ｇｒｅｅと、Ｂｌｕｅ及びＷｈｉｔｅ）でターゲットの調整及び確認を行うかどうかを判断する。そして、調整部１７は、他の表示ユニット背景色でターゲットの調整及び確認を行う場合は、図１１に示すステップＳＴ３７に戻り、ステップＳＴ３７からステップＳＴ５１を繰り返す。なお、表示ユニット背景色の選択の順番は、順不同とする。また、調整部１７は、他の表示ユニット背景色でターゲットの調整及び確認を行わない場合は、ステップＳＴ５３に進む。
【０１３２】
ステップＳＴ５３において、調整部１７は、同じ表示ユニット内で別のセルをターゲットとして選択するかどうかを判断する。そして、調整部１７は、同じ表示ユニット内で別のセルをターゲットとして選択する場合は、図１０に示すステップＳＴ２９に戻り、ステップＳＴ２９からステップＳＴ５２を繰り返す。また、調整部１７は、同じ表示ユニット内で別のセルを選択しない場合は、図１０に示すステップＳＴ２７に戻る。
【０１３３】
なお、調整部１７は、表示ユニット又はセルをターゲットとして同時に複数個選択し、メンテナンス窓１００に備えられているアクション窓１０３を用いてその選択した複数個のターゲットを一括して調整を行ってもよい。また、上述の調整部１７の動作は、プログラム化し記録媒体に格納してもよい。その場合、記録媒体は、調整部１７に設置することとする。
【０１３４】
また、スクリーン部１３は、図１６に示すように、所定のピッチ（１５ｍｍ〜１７．５ｍｍ）で並べた複数のＲＧＢ３原色の発光体で１つのセル（４ドット×２ドット）が構成され、複数の上記セルにより１つの表示ユニット（４セル×３セル）が構成され、複数の上記表示ユニットにより構成されているＣＲＴ方式でも良いし（ＮＴＳＣの場合最大４０表示ユニット×８０表示ユニット、ＰＡＬの場合最大４８表示ユニット×９６表示ユニット）、図１７に示すように、所定のピッチで並べられた複数のＲＧＢの発光ダイオード（ＬＥＤ）で１つのセル（４ドット×４ドット）が構成され、複数の上記セルにより１つの表示ユニット（４セル×４セル）が構成され、複数の上記表示ユニットにより構成されているＬＥＤ方式でも良いこととする（ＮＴＳＣ場合最大４０表示ユニット×３０表示ユニット、ＰＡＬの場合最大４８表示ユニット×３６表示ユニット）。上述のステップＳＴ１からステップＳＴ５３では、１つのセルが１つのＲＧＢトリオで構成されていることとして、表示ユニット及びセルの調整操作の一例を述べたが、図１６又は図１７に示すように１つのセルが複数のＲＧＢトリオで構成されている場合、ステップＳＴ２８からステップＳＴ５３において調整部１７は、複数のＲＧＢトリオで構成されたセルの選択及び調整を行うこととする。
【０１３５】
次に、異常信号検出部１８の動作について説明する。図１８に示すように、スクリーン部１３により生成される表示ユニット情報に基づいて、擬似スクリーン画像を表示する異常表示ユニット表示窓２００は、ハードディスク等の記憶手段からロードされ、ＣＰＵにより実行されるＧＵＩ化されたアプリケーションプログラムにより異常信号検出部１８の表示部に表示される。また、異常ユニット表示窓２００は、異常ユニット情報表示窓２０１と、第２の擬似スクリーン窓２０２とを備えている。
【０１３６】
ここで、異常表示ユニット表示窓２００について図１８を用いて説明する。
【０１３７】
異常ユニット情報表示窓２０１は、異常をきたしている表示ユニットの表示ユニット番号の情報及び表示ユニットの位置の情報及び異常の内容の情報等を表示する。異常ユニット情報表示窓２０１は、異常をきたしている表示ユニットの異常の内容に応じて色を変化させて表示する。
【０１３８】
第２の擬似スクリーン窓２０２は、異常をきたしている表示ユニットを表示する。また、第２の擬似スクリーン窓２０２は、異常をきたしている表示ユニットを表示する際、正常な表示ユニットと異常をきたしている表示ユニットの違いが一目で認識できる程度に色の違いや点滅等により表示する。第２の擬似スクリーン窓２０２は、表示ユニットの異常として、表示ユニット内部の温度異常と、表示ユニット内部の電源異常と、表示ユニットのファンストップと、スクリーン部１３と異常信号検出部１８間の通信異常等がある。
【０１３９】
ここで、図１９及び図２０に示すフローチャートを用い、スクリーン部１３を構成している表示ユニットが異常をきたした際の表示ユニットの交換作業について説明する。
【０１４０】
ステップＳＴ６０において、異常信号検出部１８は、図１９に示すようにスクリーン部１３からスクリーン情報が供給されたかどうかを判断する。そして、異常信号検出部１８は、スクリーン部１３からスクリーン情報が供給されている場合は、ステップＳＴ６１に進む。
【０１４１】
ステップＳＴ６１において、異常信号検出部１８は、異常表示ユニット窓２００を起動する。
【０１４２】
ステップＳＴ６２において、異常信号検出部１８は、スクリーン部１３から異常表示ユニット信号が供給されたかどうかを判断する。そして、異常信号検出部１８は、スクリーン部１３から異常表示ユニット信号が供給された場合、ステップＳＴ６３に進む。
【０１４３】
ステップＳＴ６３において、異常信号検出部１８は、異常表示ユニット窓２００に上記の異常表示ユニット信号に応じて表示ユニット情報を表示する。
【０１４４】
ステップＳＴ６４において、異常信号検出部１８は、上記の異常表示ユニット信号を記憶部に記憶する。なお、異常信号検出部１８に備えられている記憶部は、揮発メモリでも、不揮発メモリでもよい。
【０１４５】
ステップＳＴ６５において、異常信号検出部１８は、異常をきたしている表示ユニットを交換するかどうかを判断する。そして、異常信号検出部１８は、異常をきたしている表示ユニットを交換すると判断した場合、ステップＳＴ６７に進み、異常をきたしている表示ユニットを交換しないと判断した場合、ステップＳＴ６６に進む。
【０１４６】
ステップＳＴ６６において、異常信号検出部１８は、表示ユニットに所定の処置を施す。そして、異常信号検出部１８は、異常をきたしている表示ユニットに所定の処置を施したらステップＳＴ６２に戻る。
【０１４７】
ステップＳＴ６７において、異常信号検出部１８は、スクリーン部１３が通常運転を終了したかどうかを判断する。そして、異常信号検出部１８は、スクリーン部１３が通常運転を終了したと判断した場合、ステップＳＴ６８に進む。
【０１４８】
ステップＳＴ６８において、異常信号検出部１８は、図２０に示すように異常表示ユニット窓２００に備えられている第２の擬似スクリーン窓２０２を用いて異常をきたしている表示ユニットを選択する。
【０１４９】
ここで、第２の擬似スクリーン窓２０２を用いた異常をきたしている表示ユニットの選択操作について図１８を用いて説明する。
【０１５０】
異常信号検出部１８は、図１８に示す、異常表示ユニット窓２００に表示されている第２の擬似スクリーン窓２０２を例えば、マウスにより異常をきたしている表示ユニットをクリック操作をして選択を行う。なお、異常をきたしている表示ユニットの選択は上記以外の方法でもよい。
【０１５１】
ステップＳＴ６９において、異常信号検出部１８は、上述のステップＳＴ６８の異常をきたしている表示ユニットの選択の操作に応じて、異常表示ユニット選択信号を生成する。
【０１５２】
ステップＳＴ７０において、異常信号検出部１８は、上述のステップＳＴ６９で生成した異常表示ユニット選択信号を信号線Ｅを介して映像処理部１２に送信する。映像処理部１２は、異常信号検出部１８から送信された異常表示ユニット選択信号に応じた制御信号をスクリーン部１３に送信する。スクリーン部１３は、上記制御信号に応じて、第２の擬似スクリーン窓２００の選択に対応した表示ユニットの背面に備えられている異常を通知するためのＬＥＤ（Light Emitting
Diode）を点灯させる。
【０１５３】
ステップＳＴ７１において、異常信号検出部１８は、映像処理部１２からＡＣＫ信号を受信する。ここで、ＡＣＫ信号は、異常信号検出部１８により送信された異常表示ユニット選択信号を映像処理部１２で受信し、上記の受信に応じて映像処理部１２により生成された信号である。
【０１５４】
なお、異常表示ユニット表示窓２００は、表示ユニットを交換した際に、正しく表示ユニットが交換されたかどうかのメッセージを表示させてもよい。また、上述の交換作業は、プログラム化し記録媒体に格納してもよい。その場合、記録媒体は、異常信号検出部１８に設置することとする。
【０１５５】
また、制御監視部１６と、調整部１７と、異常信号検出部１８とを同一の装置上で切り替えて動作させてもよい。
【０１５６】
例えば、表示システム１の動作状況及びスクリーン部１３に表示されている表示画像及びその表示画像の情報等を表示し、表示システム１を制御する、表示システム情報提供窓３００を図２１に示すようにＧＵＩ化したアプリケーションプログラムとする。表示システム情報提供窓３００は、電源コントロール部３０１と、ディスプレイ情報部３０２と、メッセージ部３０３と、スケジュール部３０４と、映像表示部３０５とを備えている。
【０１５７】
電源コントロール部３０１は、映像信号選択部１１及び映像処理部１２及びスクリーン部１３等の表示システム１に接続されている機器の電源の供給を制御する。電源コントロール部３０１は、例えば、電源部１４の電源の供給を制御して、スクリーン部１３の電源のオン又はオフの制御をする。また、電源コントロール部３０１は、それぞれの電源状態を表示する。
【０１５８】
ディスプレイ情報部３０２は、映像処理部１２に対して定期的に映像信号の情報提供の要求を行い、必要なデータを受け取り、映像信号の情報及び表示システム１の動作状況をリアルタイムに表示する。なお、ディスプレイ情報部３０２は、映像処理部１２に供給される映像信号が変更されたときに、上記の映像信号の情報を受け取るようにしてもよい。
【０１５９】
また、ディスプレイ情報部３０２は、入力映像信号表示部４０１と、インプット表示部４０２と、シグナルタイプ表示部４０３と、入力ソース表示部４０４と、スクリーン・ブライトネス表示部４０５と、入力映像信号周波数表示部４０６とにより構成されている。
【０１６０】
入力映像信号表示部４０１は、映像処理部１２に入力される映像信号の種類を表示する。入力映像信号表示部４０１は、例えば、ＶＣＲの入力ならば当該ＶＣＲに応じて「ＩＮＰＵＴ−１」等を表示し、また、ＤＶＤの入力ならば当該ＤＶＤに応じて「ＩＮＰＵＴ−２」等を表示する。
【０１６１】
インプット表示部４０２は、映像処理部１２に入力される映像信号の映像規格を表示する。インプット表示部４０２は、例えば、映像処理部１２に入力される映像信号がＶＣＲならば当該ＶＣＲに応じて「ＣＯＭＰＯＳＩＴＥ」又は、「ＲＧＢ」等を表示する。
【０１６２】
シグナルタイプ表示部４０３は、映像処理部１２に入力される映像信号に応じて放送方式を表示する。シグナルタイプ表示部４０３は、映像処理部１２に入力される映像信号に応じて、例えば「ＮＴＳＣ」又は、「ＰＡＬ」等を表示する。
【０１６３】
入力ソース表示部４０４は、映像処理部１２に入力される映像信号が、送出されてくる機器の名前を表示する。入力ソース表示部４０４は、例えば、映像処理部１２に入力される映像信号が、送出されてくる機器がＤＶＤであれば「ＤＶＤ」と表示する。
【０１６４】
スクリーン・ブライトネス表示部４０５は、スクリーン部１３の明るさの表示をする。スクリーン・ブライトネス表示部４０５は、例えば、「５」を基準値として明るさを十段階で表し、「１」から「１０」の数値で表示をする。
【０１６５】
入力映像信号周波数表示部４０６は、映像処理部１２に入力される映像信号の水平周波数及び垂直周波数を表示する。
【０１６６】
メッセージ部３０３は、表示システム１のエラー情報及び上記のエラー情報を受信した時刻等を表示する。なお、メッセージ部３０３は、上記のエラー情報の表示とは区別して、電源コントロール部３０１及び映像表示部３０５の操作情報を表示してもよい。
【０１６７】
スケジュール部３０４は、スクリーン部１３に表示されている表示画像を所定の表示形態とするために表示画像の表示位置及び大きさ及び輝度等の調整操作を行う際に、その調整操作と表示画像とを一つのオブジェクトとし、ファイル管理を行う。また、スケジュール部３０４は、入力される映像信号毎にオブジェクトとして複数のオブジェクトを生成する。さらに、スケジュール部３０４は、映像信号選択部１１が複数の映像信号を順次切り替えて映像処理部１２に供給する際の、映像信号の切り替えスケジュールを管理している。
【０１６８】
映像表示部３０５は、制御監視部１６に映像取込み部１５から供給された変換後映像信号を表示映像として表示する。
【０１６９】
また、映像表示部３０５に表示される表示画像は、図１８に示す、ＧＵＩ化されたアプリケーションプログラムである表示画像調整メニュー４０により、表示位置及び大きさ等の調整が行われる。なお、映像表示部３０５は、見易いように映像表示部３０５自体の表示サイズを拡大又は縮小してもよい。
【０１７０】
表示画像調整メニュー４０は、スクリーン部１３に表示されている表示画像を調整するジオメトリ５００等のメニューを備えている。
【０１７１】
ジオメトリ５００は、位置調整部５０１と、サイズ調整部５０２と、表示画像調整窓５０３とを備えている。
【０１７２】
位置調整部５０１は、図２２に示すように、水平位置６０１及び垂直位置６０２が数値で示されている表示窓を備えている。位置調整部５０１は、スクリーン部１３に表示されている表示画像の位置を調整する。
【０１７３】
また、サイズ調整部５０２は、水平位置６０３及び垂直位置６０４が数値で示されている表示窓を備えている。サイズ調整部５０２は、スクリーン部１３に表示されている表示画像の大きさを調整する。
【０１７４】
表示画像調整窓５０３は、スクリーン部１３に表示されている表示画像と同様の表示画像ＧＵＩと、スクリーン部１３の表示範囲と同様の表示範囲ＧＵＩとを表示する。
【０１７５】
また、表示画像調整メニュー４０は、例えば、図２１に示す映像表示部３０５上でマウスをクリックすることにより、別のＧＵＩとして起動する。なお、表示画像調整メニュー４０は、上記以外の方法で起動してもよい。
【０１７６】
また、表示システム情報提供窓３００は、ツールバーの「Ｔｏｏｌ」部から「Ｍａｉｎｔｅｎａｎｃｅ３０６」を選択し、図７に示すメンテナンス窓１００を起動する。なお、メンテナンス窓１００を用いた調整操作は、上述で図８に示すフローチャートを用いて説明した通りである。
【０１７７】
このようにして、表示システム１は、スクリーン部１３を構成している表示ユニット及びセルの位置の情報をスクリーン情報として調整部１７に供給し、そのスクリーン情報に応じてＧＵＩ化したアプリケーションプログラムであるメンテナンス窓１００に擬似スクリーンを表示することができる。さらに、表示システム１は、調整対象である表示ユニット又はセルを選択する際に、スクリーン情報に応じてＧＵＩ化したアプリケーションプログラムであるメンテナンス窓１００に表示されている擬似スクリーンを、マウスで操作することができる。
【０１７８】
また、表示システム１は、スクリーン部１３を構成している表示ユニットが異常をきたした際に、異常信号検出部１８によりその異常をきたしている表示ユニットの異常信号を検出し、その異常信号に応じてＧＵＩ化したアプリケーションプログラムであるメンテナンス窓１００に異常をきたしている表示ユニットと異常の内容とを表示することができる。さらに、異常表示装置は、スクリーン部１３を構成している表示ユニットの一つ又は複数が異常をきたした場合、メンテナンス窓１００に異常をきたしている表示ユニットを表示する際に、異常の内容に応じて色分けをして表示することができる。また、表示システム１は、スクリーン部１３を構成している表示ユニットの一つ又は複数が異常をきたした場合、メンテナンス窓１００に表示されている異常をきたしている表示ユニットを選択操作を行うことによって、スクリーン部１３を構成している異常をきたしている表示ユニットの背面にある発光素子を動作させることができる。
【０１７９】
【発明の効果】
以上詳細に説明したように、本発明に係る調整装置は、所定の画像を表示するスクリーン部を構成している複数の表示ユニット及び上記表示ユニットを構成している複数のセルの位置情報から、表示ユニット及びセルを模式的に表示するメンテナンス窓を生成し、上記メンテナンス窓に擬似的に表示されている表示ユニット又はセルの中から所定の表示ユニット又はセルを選択し、選択した表示ユニット又はセルに対して、調整操作に基づき表示ユニット又はセルの調整情報を生成し、生成した調整情報をスクリーン部に出力して、表示ユニット又はセルを調整するので、表示面積の大きなメンテナンス窓の使用により調整操作の情報を一目で確認することができ、また、調整のための表示画面がメンテナンス窓のみで足りるので、装置を安価にすることができる。
【０１８０】
さらに、本発明に係る調整装置は、上記メンテナンス窓に擬似的に表示されている表示ユニット又はセルの中から所定の表示ユニット又はセルを選択する際、メンテナンス窓においてマウス等のポインティングディバイスを用いて操作するため効率的に選択することができ、また、選択した表示ユニット又はセルに対して連続して調整を行うことができる。
【０１８１】
また、本発明に係る調整装置は、メンテナンス窓においてマウス等のポインティングディバイスを用いて擬似的に表示されている表示ユニット又はセルの中から所定の表示ユニット又はセルを選択した際、スクリーン部に選択したターゲットを全白発光するので、スクリーン部の大型化に伴い表示ユニット及びセルが増加してもターゲットを見失うことなく所定の調整を行うことができる。
【０１８２】
以上詳細に説明したように、本発明に係る調整方法は、所定の画像を表示するスクリーン部を構成している複数の表示ユニット及び上記表示ユニットを構成している複数のセルの位置情報から、表示ユニット及びセルを模式的に表示するメンテナンス窓を生成し、上記メンテナンス窓に擬似的に表示されている表示ユニット又はセルの中から所定の表示ユニット又はセルを選択し、選択した表示ユニット又はセルに対して、調整操作に基づき表示ユニット又はセルの調整情報を生成し、生成した調整情報をスクリーン部に出力して、表示ユニット又はセルを調整するので、表示面積の大きなメンテナンス窓の使用により調整操作の情報を一目で確認することができる。
【０１８３】
さらに、本発明に係る調整方法は、上記メンテナンス窓に擬似的に表示されている表示ユニット又はセルの中から所定の表示ユニット又はセルを選択する際、メンテナンス窓においてマウス等のポインティングディバイスを用いて操作するため効率的に選択することができ、また、選択した表示ユニット又はセルに対して連続して調整を行うことができる。
【０１８４】
また、本発明に係る調整方法は、メンテナンス窓においてマウス等のポインティングディバイスを用いて擬似的に表示されている表示ユニット又はセルの中から所定の表示ユニット又はセルを選択した際、スクリーン部に選択したターゲットを全白発光するので、スクリーン部の大型化に伴い表示ユニット及びセルが増加してもターゲットを見失うことなく所定の調整を行うことができる。
【０１８５】
以上詳細に説明したように、本発明に係る記録媒体は、調整部に設置されており、所定の画像を表示するスクリーン部を構成している複数の表示ユニット及び上記表示ユニットを構成している複数のセルの位置情報から、表示ユニット及びセルを模式的に表示するメンテナンス窓を生成するメンテナンス窓生成処理と、上記メンテナンス窓に擬似的に表示されている表示ユニット又はセルの中から所定の表示ユニット又はセルを選択する選択処理と、選択した表示ユニット又はセルに対して、調整操作に基づき表示ユニット又はセルの調整情報を生成する調整情報生成処理とを行うプログラムが格納されている。このようなプログラムを動作させた場合、調整情報生成処理で生成した調整情報をスクリーン部に出力して、表示ユニット又はセルを調整するので、表示面積の大きなメンテナンス窓の使用により調整操作の情報を一目で確認することができる。
【０１８６】
また、このようなプログラムを動作させた場合、上記メンテナンス窓に擬似的に表示されている表示ユニット又はセルの中から所定の表示ユニット又はセルを選択する際、メンテナンス窓においてマウス等のポインティングディバイスを用いて操作するため効率的に選択することができ、また、選択した表示ユニット又はセルに対して連続して調整を行うことができる。
【０１８７】
また、このようなプログラムを動作させた場合、メンテナンス窓においてマウス等のポインティングディバイスを用いて擬似的に表示されている表示ユニット又はセルの中から所定の表示ユニット又はセルを選択した際、スクリーン部に選択したターゲットを全白発光するので、スクリーン部の大型化に伴い表示ユニット及びセルが増加してもターゲットを見失うことなく所定の調整を行うことができる。
【図面の簡単な説明】
【図１】本発明を適用した表示システムの構成を示すブロック図である。
【図２】本発明を適用した表示システムに備えられているスクリーン部を構成する表示ユニットの構成を示すブロック図である。
【図３】本発明を適用した表示システムに備えられている映像処理部からスクリーン部に供給される処理後映像信号について説明する図である。
【図４】本発明を適用した表示システムに備えられている映像処理部及びスクリーン部の間で送受信される信号について説明する図である。
【図５】本発明を適用した異常信号検出部に供給するスクリーン部を構成している表示ユニットの表示ユニット情報の設定を示す図である。
【図６】本発明を適用した異常信号検出部に供給するスクリーン部の表示ユニットを構成しているセルのセル情報の設定を示す図である。
【図７】表示システムに備えられているスクリーン部を調整するメンテナンス窓をＧＵＩ化した図である。
【図８】表示システムに備えられている調整部の動作の一例を示す第１のフローチャートである。
【図９】表示システムに備えられている調整部の動作の一例を示す第２のフローチャートである。
【図１０】表示システムに備えられている調整部の動作の一例を示す第３のフローチャートである。
【図１１】表示システムに備えられている調整部の動作の一例を示す第４のフローチャートである。
【図１２】表示システムに備えられている調整部の動作の一例を示す第５のフローチャートである。
【図１３】表示システムに備えられている調整部から映像処理部に送信されるコマンドの一例を示す図である。
【図１４】表示システムに備えられているスクリーン部に映像処理部から送信される制御信号の一例を示す図である。
【図１５】表示システムに備えられている調整部により、スクリーン部の表示ユニットを構成している複数のセルから所定のセルをターゲットとして選択する擬似表示ユニット窓をＧＵＩ化した図である。
【図１６】ＣＲＴ方式を採用している場合のスクリーン部の構成図である。
【図１７】ＬＥＤ方式を採用している場合のスクリーン部の構成図である。
【図１８】本発明を適用した異常信号検出部に表示される、スクリーン部を構成している表示ユニットが異常をきたした際に異常情報を表示する異常表示ユニット表示窓をＧＵＩ化した図である。
【図１９】本発明を適用した異常信号検出部を利用して、スクリーン部を構成している表示ユニットが異常をきたした際にその異常をきたした表示ユニットを交換する作業の一例を示す第１のフローチャートである。
【図２０】本発明を適用した異常信号検出部を利用して、スクリーン部を構成している表示ユニットが異常をきたした際にその異常をきたした表示ユニットを交換する作業の一例を示す第２のフローチャートである。
【図２１】表示システムの動作状況及びスクリーン部に表示されている表示画像及び表示画像の情報等を表示し、表示システムを制御する表示システム情報提供窓をＧＵＩ化した図である。
【図２２】表示システムに備えられているスクリーン部に表示されている表示画像の大きさ及び位置を調整する表示映像調整窓をＧＵＩ化した図である。
【図２３】従来の表示システムの構成を示すブロック図である。
【図２４】表示システムに備えられているスクリーン部が複数の表示ユニットにより構成されていることを示す図である。
【図２５】表示システムに備えられているスクリーン部を構成している表示ユニットが複数のセルにより構成されていることを示す図である。
【符号の説明】
１  表示システム、１０  映像信号部、１１  映像信号選択部、１２  映像処理部、１３  スクリーン部、１４  電源部、１５  映像取込み部、１６  制御監視部、１７  調整部、１８  異常信号検出部、１９  ネットワーク接続部、２０ネットワーク、２１  情報端末、３０  ラインレシーバ、３１  シリアル／パラレル変換、３２  アドレス比較器、３３  フレームメモリ部、３４  ドライバ部、３５  メモリ部、３６  ＭＰＵ、３７  アドレススイッチ部、３８  内部情報提供部、３９  ラインドライバ、４０  表示画像調整メニュー、１００  メンテナンス窓、１０１  擬似スクリーン窓、１０２  ターゲット選択窓、１０３  アクション窓、１０４  擬似表示ユニット窓、２００  異常ユニット表示窓、２０１  異常ユニット情報表示窓、２０２  第２の擬似スクリーン窓、３００  表示システム情報提供窓、３０１  電源コントロール部、３０２  ディスプレイ情報部、３０３  メッセージ部、３０４  スケジュール部、３０５  映像表示部
【図１】
0003885542.tif 000002
【図２】
0003885542.tif 000003
【図３】
0003885542.tif 000004
【図４】
0003885542.tif 000005
【図５】
0003885542.tif 000006
【図６】
0003885542.tif 000007
【図７】
0003885542.tif 000008
【図８】
0003885542.tif 000009
【図９】
0003885542.tif 000010
【図１０】
0003885542.tif 000011
【図１１】
0003885542.tif 000012
【図１２】
0003885542.tif 000013
【図１３】
0003885542.tif 000014
【図１４】
0003885542.tif 000015
【図１５】
0003885542.tif 000016
【図１６】
0003885542.tif 000017
【図１７】
0003885542.tif 000018
【図１８】
0003885542.tif 000019
【図１９】
0003885542.tif 000020
【図２０】
0003885542.tif 000021
【図２１】
0003885542.tif 000022
【図２２】
0003885542.tif 000023
【図２３】
0003885542.tif 000024
【図２４】
0003885542.tif 000025
【図２５】
0003885542.tif 000026